(57)【要約】【課題】汎用性が高く、漏洩磁束の検出精度の高いワイヤーロープの探傷装置を提供する。【解決手段】ワイヤーロープ４を長手方向に磁化してその漏洩磁束を検出する磁束検出手段２と、ワイヤーロープ４の残留磁気を消磁する消磁手段３とを備え、消磁手段３はワイヤーロープ４の長手方向に沿って所定間隔を存して配置された複数の磁化器５を備え、磁化器５は磁束の向きがワイヤーロープ４の長手方向と直交するように第１の永久磁石６と第２の永久磁石７で構成され、かつ隣接する磁化器５から生じる磁束の向きが互いに異なるように第１の永久磁石６と第２の永久磁石７を配置した。【選択図】図１
2010014659.tif 000002
【特許請求の範囲】
【請求項１】
ワイヤーロープを長手方向に磁化してその漏洩磁束を検出する磁束検出手段と、前記ワイヤーロープの残留磁気を消磁する消磁手段とを備え、前記消磁手段はワイヤーロープの長手方向に沿って所定間隔を存して配置された複数の磁化器を備え、前記磁化器は磁束の向きをワイヤーロープの長手方向と直交させた永久磁石で構成され、かつ隣接する前記磁化器から生じる磁束の向きが互いに異なることを特徴とするワイヤーロープの探傷装置。
【請求項２】
請求項１記載のワイヤーロープの探傷装置において、前記消磁手段をワイヤーロープの長手方向に沿って前記磁束検出手段を挟む位置にそれぞれ配置したことを特徴とするワイヤーロープの探傷装置。
【請求項３】
請求項１または２記載のワイヤーロープの探傷装置において、前記各磁化器はワイヤーロープを挟んで対向する第１の永久磁石と第２の永久磁石とで構成され、これら第１および第２の永久磁石の各磁極を互いに反転したことを特徴とするワイヤーロープの探傷装置。
【請求項４】
請求項３記載のワイヤーロープの探傷装置において、前記第１の永久磁石と前記第２の永久磁石を非磁性体のベースに設けて一体型にしたことを特徴とするワイヤーロープの探傷装置。
【発明の詳細な説明】
【技術分野】
【０００１】
本発明は、電磁気探傷法を用いたワイヤーロープの探傷装置に関するものである。
【背景技術】
【０００２】
ワイヤーロープはエレベーター、リフト、ケーブルカー、クレーン等に多く使用されているが、使用頻度に応じて疲労や摩耗等による局部的な損傷が発生し、構成要素のワイヤーロープが順次破断する。この破断数は経年的に増加し、破断数が所定の値を超えるとワイヤーロープは寿命に至ったと判断されて交換が行われる。そのため、定期的な検査により、ワイヤーロープの破断数を計測し、ワイヤーロープが安全に使用できるか否かを評価する必要がある。
【０００３】
このような使用中のワイヤーロープの破断数を検査するために、簡便に用いることができるワイヤーロープの探傷法として、電磁気探傷法が知られている。この電磁気探傷法にはいくつかの種類があるが、その一例として、永久磁石を用いてワイヤーロープを長手方向に磁化し、ワイヤーロープの破断部から漏洩する磁束をプローブコイルで検出してワイヤーロープの破断を検査する装置が従来より知られている（例えば、特許文献１参照）。
【０００４】
図３はこのようなワイヤーロープの探傷装置の従来例を示す構成図である。図３に示すように、従来のワイヤーロープの探傷装置１０は、コの字型形状の永久磁石１１と、プローブコイル１２とで構成され、永久磁石１１から生じる磁束１３により、ワイヤーロープ１４の長手方向に沿ってワイヤーロープ１４を強力に磁化するようになっている。この場合、ワイヤーロープ１４に損傷があると、ワイヤーロープ１４の損傷個所１５に漏洩磁束１３ａが発生する。そして、この状態でワイヤーロープ１４を長手方向に沿って移動させると、プローブコイル１２と漏洩磁束１３ａが鎖交することにより、プローブコイル１２に微電圧が生じるため、この電圧を検出することによって、ワイヤーロープ１４の破断数を計測することができる。
【０００５】
しかしながら、この種のワイヤーロープの探傷装置１０では、上述したようにワイヤーロープ１４を永久磁石１１で強力に磁化するため、計測後にワイヤーロープ１４に残留磁気が生じる。この残留磁気が次回の測定時において漏洩磁束に影響を与え、測定毎に検出値が変化する虞がある。また、残留磁気により、ワイヤーロープ１４に鉄粉等が付着し、ワイヤーロープ１４が鉄粉等との摩擦によって損傷する虞がある。さらに、エレベーターのように、用途によっては複数本のワイヤーロープ１４を組み合わせて用いられるため、残留磁気がワイヤーロープ１４の挙動に影響を及ぼし、ワイヤーロープ１４が振動する虞がある。ゆえに、ワイヤーロープ１４の残留磁気を消磁する必要がある。
【０００６】
そこで従来より、ワイヤーロープ１４の残留磁気を消磁するために、上述の探傷装置１０に残留磁気の消磁装置を備えたワイヤーロープの探傷装置が提案されている（例えば、特許文献２参照）。
【０００７】
図４はこのような消磁装置を備えたワイヤーロープの探傷装置の従来例を示す構成図である。図４に示すように、この探傷装置１６は、ワイヤーロープ１４の損傷部から生じる漏洩磁束を検出する検出装置１７と、ワイヤーロープ１４の残留磁気を消磁する消磁装置１８とから構成されている。この探傷装置１６は、検出装置１７をワイヤーロープ１４の外周に装着し、この検出装置１７の検出移動方向Ｓ後側に消磁装置１８を配置して使用される。ここで、検出装置１７は、基本的には上述の探傷装置１０と同じ原理であり、探傷装置１０ではコの字型形状の永久磁石であったが、永久磁石もしくは電磁石のいずれかで構成されている。また、消磁装置１８は、ワイヤーロープ１４の外周を包囲するように巻芯１９を有し、巻芯１９の外周に検出移動方向Ｓ前側のコイル密度が大きく後側のコイル密度が連続して小さくなるように包囲コイル線２０を巻付けて構成されている。さらに、包囲コイル線２０の両端部は導線２１を介して交流磁石電源２２に接続されている。
【０００８】
このように構成された該探傷装置１６では、検出装置１７の他に消磁装置１８を備えており、消磁装置１８がワイヤーロープ１４の外周に配置した巻芯１９の外周に包囲コイル線２０を巻付けて構成されているので、検出移動方向Ｓ前側のコイル密度が大きく後側のコイル密度が小さくなるようにコイル密度を連続的に変化させることができる。これにより、消磁装置１８のヒステリシスループを検出移動方向Ｓの前側から後側に向かって連続的に小さくすることができるので、ワイヤーロープ１４の残留磁気を消磁することができる。
【特許文献１】特開平７−１９８６８４号公報
【特許文献２】特開２００５−１６２３７９号公報
【発明の開示】
【発明が解決しようとする課題】
【０００９】
ところで、近年エレベーターは、機械室をなくし、巻き上げ機を昇降路内に配置した機械室レスエレベーターが普及しており、この種の機械室レスエレベーターに使用されているワイヤーロープ１４の破断数を計測するときは、探傷装置１０、１６を昇降路内に設置する必要がある。しかしながら、昇降路内には電源コンセントが少なく、計測したい近傍にコンセントが存在しない場合があり、特に、特許文献２に開示されたような探傷装置１６を用いる場合、検出装置１７に対する電源の他に消磁装置１８に電磁石が用いられることから、少なくとも電源を２つ用いてワイヤーロープ１４の破断数の計測および残留磁気の消磁が行われるので、電源ラインの取り回しが煩雑となる。したがって、上記探傷装置１６はこの種の条件において使用することが難しく、汎用性が低いという問題があった。
【００１０】
本発明は、このような従来技術の実情に鑑みてなされたもので、その目的は、汎用性が高く、漏洩磁束の検出精度の高いワイヤーロープの探傷装置を提供することにある。
【課題を解決するための手段】
【００１１】
この目的を達成するために、本発明は、ワイヤーロープを長手方向に磁化してその漏洩磁束を検出する磁束検出手段と、前記ワイヤーロープの残留磁気を消磁する消磁手段とを備え、前記消磁手段はワイヤーロープの長手方向に沿って所定間隔を存して配置された複数の磁化器を備え、前記磁化器は磁束の向きをワイヤーロープの長手方向と直交させた永久磁石で構成され、かつ隣接する前記磁化器から生じる磁束の向きが互いに異なるようにした。
【００１２】
このように構成されたワイヤーロープの探傷装置では、永久磁石で構成された消磁手段に電源を用いる必要がないので、機械室レスエレベーターの昇降路内のように電源コンセントが少ない場所においても使用することができる。また、消磁手段を構成する磁化器の磁束の向きをワイヤーロープの長手方向と直交させ、かつ隣接する磁化器から生じる磁束の向きを互いに異にすることにより、残留磁気を確実に消磁することができる。
【００１３】
また、本発明に係るワイヤーロープの探傷装置では、消磁手段をワイヤーロープの長手方向に沿って磁束検出手段を挟む位置にそれぞれ配置したことを特徴としている。このように構成すると、ワイヤーロープがその長手方向に沿ってどちらの方向に移動しても、磁束検出手段で計測する前に消磁手段を通過するので、ワイヤーロープを長手方向に沿って一回移動させるだけで残留磁気を消磁することができ、漏洩磁束を高い精度で検出することができる。
【００１４】
また、本発明に係るワイヤーロープの探傷装置では、各磁化器はワイヤーロープを挟んで対向する第１の永久磁石と第２の永久磁石とで構成され、これら第１および第２の永久磁石の各磁極を互いに反転したことを特徴としている。このように構成すると、ワイヤーロープの長手方向と直交する方向に一様な磁場を形成することができるので、残留磁気をより一層確実に消磁することができる。
【００１５】
また、本発明に係るワイヤーロープの探傷装置では、第１の永久磁石と第２の永久磁石を非磁性体のベースに設けて一体型にしたことを特徴としている。このように構成すると、消磁手段の取り扱いを容易にすることができ、利便性を高めることができる。
【発明の効果】
【００１６】
本発明のワイヤーロープの探傷装置は、消磁手段を永久磁石で構成することにより、電源ラインを確保する必要がないので機械室レスエレベーターの昇降路内のように電源コンセントが少ない場所においても使用することができ、汎用性を高めることができる。また、各磁化器から生じる磁束がワイヤーロープの長手方向と直交し、かつ隣接する磁化器から生じる磁束の向きが互いに異なるように磁化器を配置することにより、残留磁気を確実に消磁することができ、漏洩磁束の検出精度を高めることができる。
【発明を実施するための最良の形態】
【００１７】
発明の実施の形態について図面を参照して説明すると、図１は本発明の実施形態に係るワイヤーロープの探傷装置の構成図、図２は該探傷装置の消磁手段の要部を示す斜視図である。
【００１８】
図１に示すように、本発明の実施形態に係るワイヤーロープの探傷装置１は、磁束検出手段２と、一対の消磁手段３とを備え、各消磁手段３をワイヤーロープ４の長手方向に沿って磁束検出手段２を挟む位置にそれぞれ配置した構造をしている。磁束検出手段２は基本的には、図３を用いて説明した従来のものと同じ原理であり、図示省略されているが、ワイヤーロープ４をその長手方向に沿って磁化する永久磁石と、ワイヤーロープ４の損傷部から生じた漏洩磁束を検出するプローブコイルとで一体型に構成されている。図２に示すように、消磁手段３はワイヤーロープ４の長手方向に沿って所定間隔を存して配置した複数（例えば３つ）の磁化器５を備え、各磁化器５はワイヤーロープ４を挟んで対向する一対の永久磁石６、７で構成されている。便宜上、図２の左側の永久磁石列を第１の永久磁石６と呼び、右側の永久磁石列を第２の永久磁石７と呼ぶことにする。ここで、対をなす第１および第２の永久磁石６、７は、下から第１段目の磁化器５の磁束の向きがＰ方向、第２段目の磁化器５の磁束の向きがＱ方向、そして第３段目の磁化器５の磁束の向きがＰ方向を向くようにそれぞれ配置されており、隣接する磁化器５から生じる磁束の向きが互いに異なるようになっている。また、第１の永久磁石６と第２の永久磁石７とで構成された各磁化器５は、非磁性体からなる共通のベース８に設けられて一体型となっており、さらにワイヤーロープ４の長手方向の各磁化器５の間の距離は、第１の永久磁石６と第２の永久磁石７との間の距離よりも長くしている。
【００１９】
この実施形態に係るワイヤーロープの探傷装置１は、消磁装置３が第１の永久磁石６と第２の永久磁石７とからなる複数の磁化器５で構成されており、各磁化器５の磁束の向きが、ワイヤーロープ４の長手方向に直交し、かつワイヤーロープ４の長手方向に沿って交互にＰ方向とＱ方向に変わるので、ワイヤーロープ４を長手方向に移動させると、ワイヤーロープ４がＰ方向とＱ方向に交互に磁化され、ワイヤーロープ４の残留磁気を確実に消磁することができる。このように、ワイヤーロープの探傷装置１は、この第１の永久磁石６と第２の永久磁石７とからなる複数の磁化器５で構成された消磁手段３によって残留磁気を消磁するため、消磁手段３の電源ラインを確保する必要がなく、機械室レスエレベーターの昇降路内のように電源コンセントが少ない場所においても使用することができる。
【００２０】
また、このように構成された消磁手段３が、ワイヤーロープ４の長手方向に沿って磁束検出手段２を挟む位置にそれぞれ配置されているため、ワイヤーロープ４がその長手方向に沿ってどちらの方向に移動しても、磁束検出手段２で計測する前に消磁手段３を通過するので、ワイヤーロープ４を長手方向に沿って一回移動させるだけで残留磁気を消磁することができる。
【００２１】
また、消磁手段３は第１の永久磁石６と第２の永久磁石７とからなる複数の磁化器５で構成され、各磁化器５を非磁性体のベース８に設けて一体型にしているため、消磁手段３の取り扱いが容易になり、利便性が高くなっている。
【図面の簡単な説明】
【００２２】
【図１】本発明の実施形態に係るワイヤーロープの探傷装置の構成図である。
【図２】該探傷装置の消磁手段の要部を示す斜視図である。
【図３】ワイヤーロープの探傷装置の従来例を示す構成図である。
【図４】消磁装置を備えたワイヤーロープの探傷装置の従来例を示す構成図である。
【符号の説明】
【００２３】
１  ワイヤーロープの探傷装置
２  磁束検出手段
３  消磁手段
４  ワイヤーロープ
５  磁化器
６  第１の永久磁石
７  第２の永久磁石
８  ベース
【図１】
2010014659.tif 000003
【図２】
2010014659.tif 000004
【図３】
2010014659.tif 000005
【図４】
2010014659.tif 000006